(57)【要約】【課題】コンベアにより被搬送物を搬送しながら行う作業時の照明を簡素な構造により効率的に行う。【解決手段】被搬送物Ｗを支持する搬送方向視略逆向きＵ字状の被搬送物支持具３を有するキャリア２の側方片側のみに支持架構が設置されたコンベア１において、被搬送物支持具３の支持架構７から遠い側のフレームに支持された反射鏡１０と、キャリア２が搬送される経路の所定箇所において反射鏡１０に向かって光を照射するように支持架構７に取り付けられた照明器具１１とを備え、被搬送物Ｗへの作業を行う際に照明器具１１からの光Ｌ１を反射鏡１０により反射させることにより、反射光Ｌ２を作業用照明とする。【選択図】図１
2009152048.tif 000002
【特許請求の範囲】
【請求項１】
被搬送物を支持する搬送方向視略逆向きＵ字状の被搬送物支持具を有するキャリアの側方片側又は上方のみに支持架構が設置されたコンベアにおいて、
前記被搬送物支持具のフレームに支持された反射鏡と、
前記キャリアが搬送される経路の所定箇所において前記反射鏡に向かって光を照射するように、前記支持架構に取り付けられた照明器具とを備え、
前記被搬送物への作業を行う際に前記照明器具からの光を前記反射鏡により反射させることにより、該反射光を作業用照明とすることを特徴とするコンベア用照明装置。
【請求項２】
被搬送物を支持する搬送方向視略逆向きＵ字状の被搬送物支持具を有するキャリアの側方片側又は上方のみに支持架構が設置されたコンベアにおいて、
前記支持架構側の端部に集光具が接続されるとともに他端部に光拡散具が接続され、前記被搬送物支持具のフレームに添設された光ファイバーと、
前記キャリアが搬送される経路の所定箇所において前記集光具に向かって光を照射するように、前記支持架構に取り付けられた照明器具とを備え、
前記被搬送物への作業を行う際に前記照明器具からの光を、前記集光具及び光ファイバーを介して前記光拡散具に導き、該光拡散具から拡散光を発することにより、該拡散光を作業用照明とすることを特徴とするコンベア用照明装置。
【請求項３】
前記光ファイバーの前記光拡散具側端部をフレキシブルチューブにより支持してなる請求項２記載のコンベア用照明装置。
【発明の詳細な説明】
【技術分野】
【０００１】
本発明は、被搬送物を支持するキャリアを搬送するコンベアにおいて、被搬送物に対して行う作業の際に用いられるコンベア用照明装置に関するものである。
【背景技術】
【０００２】
例えば艤装工場の自動車組立ラインにおいて、エンジン搭載やアクスル搭載等を行うシャーシ工程の車体搬送に用いられるコンベアは、車体の下及びその周辺が作業域であることから、この作業域を開放する必要がある。
したがって、被搬送物を支持する搬送方向視略逆向きＵ字状の被搬送物支持具を有するキャリアの側方片側のみに支持架構が設置されたコンベア（例えば特願２００７−２５３０７８号参照。以下において「先願」という。）、又は、前記キャリアの上方のみに支持架構が設置されたオーバーヘッドコンベア（例えば、特許文献１参照。）等が用いられる。
【０００３】
【特許文献１】実開平１−７８６１１号公報（第１図）
【発明の開示】
【発明が解決しようとする課題】
【０００４】
先願のようなコンベアは、支持架構がキャリアの側方片側のみにしかないことから、支持架構に取り付けた照明器具によるキャリアに支持された被搬送物への作業用照明の他、支持架構がない側のキャリア側方上部に、補助梁等を利用して作業域の全長にわたってツールレールを架設することにより、このツールレールに照明器具を取り付けて作業用照明としている。
また、特許文献１のようなオーバーヘッドコンベアは、支持架構がキャリアの上方のみにしかないことから、キャリアの側方両側の上部に、補助梁等を利用して作業域の全長にわたってツールレール等を架設することにより、これらのツールレールに照明器具を取り付けて作業用照明としている。
よって、被搬送物を支持する搬送方向視略逆向きＵ字状の被搬送物支持具を有するキャリアの側方片側又は上方のみに支持架構が設置されたコンベアにおける従来の照明装置の構成では、ツールレールの架設等が必要であることから、コンベア用照明装置全体のコストが嵩むという問題がある。
【０００５】
そこで本発明が前述の状況に鑑み、解決しようとするところは、被搬送物を支持する搬送方向視略逆向きＵ字状の被搬送物支持具を有するキャリアの側方片側又は上方のみに支持架構が設置されたコンベアにおいて、補助梁等を利用して作業域の全長にわたってツールレール等を架設して照明器具を取り付けることなく効率的に作業用照明を行うことができ、コストを削減することができるコンベア用照明装置を提供する点にある。
【課題を解決するための手段】
【０００６】
本発明に係るコンベア用照明装置は、前記課題解決のために、被搬送物を支持する搬送方向視略逆向きＵ字状の被搬送物支持具を有するキャリアの側方片側又は上方のみに支持架構が設置されたコンベアにおいて、前記被搬送物支持具のフレームに支持された反射鏡と、前記キャリアが搬送される経路の所定箇所において前記反射鏡に向かって光を照射するように、前記支持架構に取り付けられた照明器具とを備え、前記被搬送物への作業を行う際に前記照明器具からの光を前記反射鏡により反射させることにより、該反射光を作業用照明とするものである。
【０００７】
また、本発明に係るコンベア用照明装置は、前記課題解決のために、被搬送物を支持する搬送方向視略逆向きＵ字状の被搬送物支持具を有するキャリアの側方片側又は上方のみに支持架構が設置されたコンベアにおいて、前記支持架構側の端部に集光具が接続されるとともに他端部に光拡散具が接続され、前記被搬送物支持具のフレームに添設された光ファイバーと、前記キャリアが搬送される経路の所定箇所において前記集光具に向かって光を照射するように、前記支持架構に取り付けられた照明器具とを備え、前記被搬送物への作業を行う際に前記照明器具からの光を、前記集光具及び光ファイバーを介して前記光拡散具に導き、該光拡散具から拡散光を発することにより、該拡散光を作業用照明とするものである。
【０００８】
ここで、前記光ファイバーの前記光拡散具側端部をフレキシブルチューブにより支持してなると好ましい。
【発明の効果】
【０００９】
本発明に係るコンベア用照明装置によれば、被搬送物を支持する搬送方向視略逆向きＵ字状の被搬送物支持具を有するキャリアの側方片側又は上方のみに支持架構が設置されたコンベアにおいて、前記被搬送物支持具のフレームに支持された反射鏡と、前記キャリアが搬送される経路の所定箇所において前記反射鏡に向かって光を照射するように、前記支持架構に取り付けられた照明器具とを備え、前記被搬送物への作業を行う際に前記照明器具からの光を前記反射鏡により反射させることにより、該反射光を作業用照明とするので、固定側である支持架構に取り付けた照明器具の光を、作業対象である被搬送物を支持して搬送する、移動側であるキャリアに取り付けた反射鏡により反射させて作業用照明としているため、補助梁等を利用して作業域の全長にわたってツールレール等を架設して照明器具を取り付ける必要がない。
よって、簡素な構造により効率的に作業用照明を行うことができるため、コストを削減することができる。
【００１０】
また、本発明に係るコンベア用照明装置によれば、被搬送物を支持する搬送方向視略逆向きＵ字状の被搬送物支持具を有するキャリアの側方片側又は上方のみに支持架構が設置されたコンベアにおいて、前記支持架構側の端部に集光具が接続されるとともに他端部に光拡散具が接続され、前記被搬送物支持具のフレームに添設された光ファイバーと、前記キャリアが搬送される経路の所定箇所において前記集光具に向かって光を照射するように、前記支持架構に取り付けられた照明器具とを備え、前記被搬送物への作業を行う際に前記照明器具からの光を、前記集光具及び光ファイバーを介して前記光拡散具に導き、該光拡散具から拡散光を発することにより、該拡散光を作業用照明とするので、固定側である支持架構に取り付けた照明器具の光を、作業対象である被搬送物を支持して搬送する、移動側であるキャリアに取り付けた集光具及び光ファイバーにより光拡散具に導き、該光拡散具からの拡散光を作業用照明としているため、補助梁等を利用して作業域の全長にわたってツールレール等を架設して照明器具を取り付ける必要がない。
よって、簡素な構造により効率的に作業用照明を行うことができるため、コストを削減することができる。
【００１１】
さらに、前記光ファイバーの前記光拡散具側端部をフレキシブルチューブにより支持してなると、前記効果に加え、フレキシブルチューブを操作することにより光拡散具からの拡散光の方向を容易に変更することができることから、作業内容に応じた適切な照明を行うことができるため、作業性を向上することができる。
【発明を実施するための最良の形態】
【００１２】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、搬送方向である図１〜図６の紙面垂直方向を前後方向とし、前後方向に直交する水平方向を左右方向とする。
【００１３】
実施の形態１．
図１及び図２は本発明の実施の形態１に係るコンベア用照明装置の構成を示す部分断面図であり、図１は正面図、図２は要部拡大正面図である。
コンベア１は、被搬送物Ｗを支持するキャリア２の側方片側のみに、床面ＦＬに固定された支持架構７が設置されており、図示しない例えばフリクションローラ式駆動装置によりキャリア２を駆動することにより所定搬送経路に沿って搬送するものである。
【００１４】
キャリア２は、フレーム体４の上下のトロリ５，６の水平ローラ５Ｈ並びに水平ローラ６Ｈ及び垂直ローラ６Ｖ１，６Ｖ２を、それぞれ上下の走行レール８，９に係合させることにより、走行レール８，９に沿って搬送方向に走行するものであり、フレーム体４の前後に、被搬送物Ｗを支持する、前後方向から見て略逆向きＵ字状の被搬送物支持具３，３が連結固定される。
【００１５】
キャリア２が搬送される経路の所定箇所（作業箇所）において、支持架構７のキャリア２に近い側には、照明器具１２の光Ｌ３が被搬送物Ｗの支持架構に近い側に当たるように、取り付けられているため、直接光Ｌ３を支持架構７に近い側における被搬送物Ｗの作業用照明とすることができる。
【００１６】
また、キャリア２の被搬送物支持具３の支持架構７から遠い側（側方に支持架構７がない側）のフレームには、前後方向に延びる反射鏡１０が、その上端が支持架構７に近く下端が支持架構７から遠くなるように傾斜させて、下面が鏡面となるように取り付けられており、支持架構７には、キャリア２が搬送される経路の所定箇所（作業箇所）において、反射鏡１０に向かって光を照射するように照明器具１１が取り付けられる。なお、照明器具１１は、前後方向に長いものが好ましく、必要に応じて前後方向に並設される。
したがって、照明器具１１の光Ｌ１が反射鏡１０によって下方へ反射し、この反射光Ｌ２が被搬送物Ｗの支持架構７から遠い側に当たるため、反射光Ｌ２を支持架構７から遠い側における被搬送物Ｗの作業用照明とすることができる。
【００１７】
よって、固定側である支持架構７に取り付けた照明器具１１の光Ｌ１を、作業対象である被搬送物Ｗを支持して搬送する、移動側であるキャリア２に取り付けた反射鏡１０により反射させて作業用照明としていることから、補助梁等を利用して作業域の全長にわたってツールレール等を架設して照明器具を取り付ける必要がなく、簡素な構造により効率的に作業用照明を行うことができるため、コストを削減することができる。
【００１８】
実施の形態２．
図３は本発明の実施の形態２に係るコンベア用照明装置の構成を示す要部拡大部分断面正面図であり、実施の形態１の図１及び図２と同一符号は同一又は相当部分を示している。
実施の形態２と実施の形態１とは、支持架構７から遠い側における被搬送物Ｗへの作業用照明の構成のみが異なっている。
【００１９】
すなわち、図３に示すように、キャリア２が搬送される経路の所定箇所（作業箇所）には、実施の形態１と同様の照明器具１１が支持架構７に取り付けられており、キャリア２には、そのフレームに支持架構７に近い側から遠い側にわたって延びる光ファイバー（光ファイバーの束）１４が添設され、光ファイバー１４の支持架構７側の端部には、照明器具１１に対向する集光具１３が接続され、支持架構７から遠い位置にある他端部には略下向きの光拡散具１５が接続される。
ここで、作業箇所において照明器具１１に対向する集光具１３は、例えば、照明器具１１側を開口した箱状体であり、その内面を鏡面とするとともに、内部に装着された集光レンズの焦点を光ファイバー１４の光導入端近傍としてなるものであり、光拡散具１５は、光ファイバー１４により導かれた光を例えば鏡面に反射させて拡散するものである。
【００２０】
以上のような構成により、照明器具１１の光は、集光具１３及び光ファイバー１４により光拡散具１５へ導かれ、光拡散具１５から発する拡散光Ｌ４を支持架構７から遠い側における被搬送物Ｗの作業用照明とすることができる。
よって、固定側である支持架構７に取り付けた照明器具１１の光を、作業対象である被搬送物Ｗを支持して搬送する、移動側であるキャリア２に取り付けた集光具１３及び光ファイバー１４により光拡散具１５に導き、光拡散具１５からの拡散光Ｌ４を作業用照明としていることから、補助梁等を利用して作業域の全長にわたってツールレール等を架設して照明器具を取り付ける必要がなく、簡素な構造により効率的に作業用照明を行うことができるため、コストを削減することができる。
【００２１】
実施の形態３．
図４は本発明の実施の形態３に係るコンベア用照明装置の構成を示す要部拡大部分断面正面図であり、実施の形態１及び２の図１〜図３と同一符号は同一又は相当部分を示している。
実施の形態３と実施の形態２とは、集光具１３及び光ファイバー１４を用いて照明器具１１の光を光拡散具に導く構成は同様であるが、光拡散具の構成及び設置位置等が異なっている。
【００２２】
すなわち、図４に示すように、キャリア２が搬送される経路の所定箇所（作業箇所）には、実施の形態１及び２と同様の照明器具１１が支持架構７に取り付けられており、キャリア２には、そのフレームに支持架構７に近い側から遠い側の下側まで延びる光ファイバー（光ファイバーの束）１４が添設され、光ファイバー１４の支持架構７側の端部には、照明器具１１に対向する集光具１３が接続され、支持架構７から遠い位置の下側にある他端部には、略斜め上向きの光拡散具１６が接続される。
また、光ファイバー１４の光拡散具１６側端部は、フレキシブルチューブ１７により支持されている。
ここで、光拡散具１６は、光ファイバー１４により導かれた光を例えば凹レンズにより拡散するものである。
【００２３】
以上のような構成により、照明器具１１の光は、集光具１３及び光ファイバー１４により光拡散具１６へ導かれ、光拡散具１６から発する拡散光Ｌ５を支持架構７から遠い側における被搬送物Ｗの作業用照明とすることができる。
よって、固定側である支持架構７に取り付けた照明器具１１の光を、作業対象である被搬送物Ｗを支持して搬送する、移動側であるキャリア２に取り付けた集光具１３及び光ファイバー１４により光拡散具１６に導き、光拡散具１６からの拡散光Ｌ５を作業用照明としているため、補助梁等を利用して作業域の全長にわたってツールレール等を架設して照明器具を取り付ける必要がなく、簡素な構造により効率的に作業用照明を行うことができるため、コストを削減することができる。
その上、フレキシブルチューブ１７を操作することにより光拡散具１６からの拡散光Ｌ５の方向を容易に変更することができることから、作業内容に応じた適切な照明を行うことができるため、作業性を向上することができる。
【００２４】
実施の形態４．
図５は本発明の実施の形態４に係るコンベア用照明装置の構成を示す要部拡大部分断面正面図であり、実施の形態１の図１及び図２と同一符号は同一又は相当部分を示している。
実施の形態５と実施の形態１とは、コンベア１の構成等が異なっている。
【００２５】
すなわち、コンベア１は、被搬送物Ｗを支持するキャリア２の上方のみに、天井面ＣＬに固定された支持架構１８が設置されており、例えばパワーアンドフリー式駆動装置によりトロリ２０を駆動することにより、走行レール１９の直下で被搬送物Ｗを支持するキャリア２を所定搬送経路に沿って搬送するオーバーヘッドコンベアである。
【００２６】
キャリア２は、トロリ２０に設けられた左右の垂直ローラ２１Ｖ，２１Ｖ及び水平ローラ２１Ｈを、支持架構１８により支持された走行レール１９に係合させることにより、走行レール１９に沿って搬送方向に走行するものであり、トロリ２０の下側の前後に、被搬送物Ｗを支持する、前後方向から見て略逆向きＵ字状の被搬送物支持具３，３が連結固定される。
【００２７】
また、キャリア２の被搬送物支持具３左右の上下方向に延びるフレームには、前後方向に延びる略垂直の反射鏡１０，１０が、左右方向の内側が鏡面となるように取り付けられており、支持架構１８の左右には、キャリア２が搬送される経路の所定箇所（作業箇所）において、反射鏡１０，１０に向かって光Ｌ１，Ｌ１を照射するように照明器具１１，１１が取り付けられる。
したがって、左右の照明器具１１，１１の光Ｌ１，Ｌ１がそれぞれ左右の反射鏡１０，１０によって内側下方へ反射し、この反射光Ｌ２，Ｌ２が被搬送物Ｗの左右に当たるため、反射光Ｌ２，Ｌ２を被搬送物Ｗの作業用照明とすることができる。
【００２８】
よって、固定側である支持架構１８に取り付けた左右の照明器具１１，１１の光Ｌ１，Ｌ１を、作業対象である被搬送物Ｗを支持して搬送する、移動側であるキャリア２に取り付けた反射鏡１０，１０により反射させて作業用照明としていることから、補助梁等を利用して作業域の全長にわたってツールレール等を架設して照明器具を取り付ける必要がなく、簡素な構造により効率的に作業用照明を行うことができるため、コストを削減することができる。
【００２９】
実施の形態５．
図６は本発明の実施の形態５に係るコンベア用照明装置の構成を示す要部拡大部分断面正面図であり、実施の形態４の図５と同一符号は同一又は相当部分を示している。
実施の形態５と実施の形態４とは、被搬送物Ｗへの作業用照明の構成のみが異なっている。
【００３０】
すなわち、図６に示すように、キャリア２が搬送される経路の所定箇所（作業箇所）には、実施の形態１と同様の照明器具１１，１１が支持架構１８に取り付けられており、キャリア２には、支持架構１８に近い上側から左右のフレームを経由して被搬送物Ｗの下側まで延びる左右の光ファイバー（光ファイバーの束）１４，１４が添設され、光ファイバー１４，１４の支持架構１８側の端部には、照明器具１１，１１に対向する集光具１３，１３が接続され、被搬送物Ｗの下側にある他端部には、略斜め上向きの光拡散具１６，１６が接続される。
また、光ファイバー１４，１４の光拡散具１６，１６側端部は、フレキシブルチューブ１７，１７により支持されている。
【００３１】
以上のような構成により、照明器具１１，１１の光は、それぞれ集光具１３及び光ファイバー１４により光拡散具１６へ導かれ、光拡散具１６から発する拡散光Ｌ５を被搬送物Ｗの作業用照明とすることができる。
よって、固定側である支持架構１８に取り付けた左右の照明器具１１，１１の光を、作業対象である被搬送物Ｗを支持して搬送する、移動側であるキャリア２に取り付けた左右の集光具１３，１３及び光ファイバー１４，１４により光拡散具１６，１６に導き、光拡散具１６，１６からの拡散光Ｌ５，Ｌ５を作業用照明としているため、補助梁等を利用して作業域の全長にわたってツールレール等を架設して照明器具を取り付ける必要がなく、簡素な構造により効率的に作業用照明を行うことができるため、コストを削減することができる。
その上、フレキシブルチューブ１７，１７を操作することにより光拡散具１６，１６からの拡散光Ｌ５，Ｌ５の方向を容易に変更することができることから、作業内容に応じた適切な照明を行うことができるため、作業性を向上することができる。
【図面の簡単な説明】
【００３２】
【図１】本発明の実施の形態１に係るコンベア用照明装置の構成を示す部分断面正面図である。
【図２】同じく要部拡大部分断面正面図である。
【図３】本発明の実施の形態２に係るコンベア用照明装置の構成を示す要部拡大部分断面正面図である。
【図４】本発明の実施の形態３に係るコンベア用照明装置の構成を示す要部拡大部分断面正面図である。
【図５】本発明の実施の形態４に係るコンベア用照明装置の構成を示す要部拡大部分断面正面図である。
【図６】本発明の実施の形態５に係るコンベア用照明装置の構成を示す要部拡大部分断面正面図である。
【符号の説明】
【００３３】
ＣＬ  天井面
ＦＬ  床面
Ｗ  被搬送物
Ｌ１，Ｌ２，Ｌ３，Ｌ４，Ｌ５  光
１  コンベア
２  キャリア
３  被搬送物支持具
４  フレーム体
５，６  トロリ
５Ｈ，６Ｈ  水平ローラ
６Ｖ１，６Ｖ２  垂直ローラ
７  支持架構
８，９  走行レール
１０  反射鏡
１１，１２  照明器具
１３  集光具
１４  光ファイバー
１５，１６  光拡散具
１７  フレキシブルチューブ
１８  支持架構
１９  走行レール
２０  トロリ
２１Ｈ  水平ローラ
２１Ｖ  垂直ローラ
【図１】
2009152048.tif 000003
【図２】
2009152048.tif 000004
【図３】
2009152048.tif 000005
【図４】
2009152048.tif 000006
【図５】
2009152048.tif 000007
【図６】
2009152048.tif 000008